Podtech/llm-jp-corpus-v4-ja_patent huggingface dataset:
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
基板サンプル（２４）の表面品質を決定するための基板サンプル検査システム（１０）であって、
アイピース（１９）、アイピース焦点調整部、顕微鏡焦点調整部、レチクル（２０）、プリズム（２２）、対物レンズ（２６）、カメラ視野、アイピース視野、および、前記基板サンプルを保持するための固定具（２８）を含む微分干渉コントラスト顕微鏡（１２）であって、微分ビーム間の位相を調整するために配置構成される顕微鏡（１２）と、
光源（１４）と、
カメラ（１８）と、
前記カメラおよび前記顕微鏡からデータを収集するためのコンピュータ（３０）と、
を含み、
前記顕微鏡は、前記アイピース視野と前記カメラ視野の間で切り換えることができ、前記固定具は、前記基板サンプルの画像の画素値のヒストグラムに対する中央傾向を達成するために前記基板サンプルの傾きの調整を可能にするように配置構成され、前記コンピュータは、表面品質を決定して前記基板サンプルの近似的な表面を再構築するために、前記基板サンプルの表面傾きの少なくとも１つの画像および前記表面傾きの画像を処理するように配置構成される、システム（１０）。
【請求項２】
請求項１に記載のシステム（１０）であって、前記光源（１４）は、前記基板サンプル（２４）から前記レチクル（２０）と前記絞りの少なくとも１つまでの光路長が、前記基板サンプルからユーザの肉眼またはカメラ（１８）までの光路長と実質的に同じになるように、光学的光路内に設置された前記レチクルと前記絞りの少なくとも１つを含む、システム（１０）。
【請求項３】
微分ビーム間の位相を較正するために、請求項１に記載のシステム（１０）は、
前記プリズム（２２）と参照サンプルの傾きの少なくとも１つを複数の位置に調整するように、
前記複数の他の位置における構造コントラストより良好な構造コントラストを提供する位置を決定するために、前記複数の位置の各々における画像を観察するように、
前記決定された位置における露光時間および画素値中央傾向を記録するように、かつ、
前記露光時間に対する前記画素値の中央傾向の比であるピーク応答比を決定するように、
配置構成されたシステム（１０）。
【請求項４】
前記微分ビーム間の位相を較正するために、請求項１に記載のシステム（１０）は、
前記プリズム（２２）と前記参照サンプルの傾きの少なくとも１つを複数の位置に調整するように、
前記プリズムおよび前記参照サンプルの前記傾きの前記複数の位置の各々に対して、前記参照サンプルの画像を取り込むように、
各画像に対する強度に対応する画素値の中央傾向を決定するように、
前記取り込まれた画像についての画像強度最小値および画像強度最大値を決定するように、
前記参照画像の強度の範囲の中間点に対応する中央傾向を決定するように、かつ、
前記露光時間に対する算出された中間点中央傾向の比であるピーク応答比を決定するように、
配置構成されるシステム（１０）。
【請求項５】
前記微分ビーム間の前記位相を較正するために、請求項１に記載のシステム（１０）は、
前記プリズム（２２）と前記参照基板サンプル（２４）の傾きの少なくとも１つを複数の位置に調整するように、
前記プリズムおよび前記参照サンプルの前記傾きの前記複数の位置の各々に対する前記基板サンプルの画像を取り込むように、
各参照サンプル画像の近似的に一定の前記画素値または強度の前記中央傾向を維持するために前記露光時間を調整するように、
前記参照サンプル画像の各々に対する画素値分布の分散計量を算出するように、かつ、
最大分散値における前記露光時間に対する前記画素中央傾向値の比であるピーク応答比を決定するように、
配置構成されるシステム（１０）。
【請求項６】
請求項１に記載のシステム（１０）であって、前記基板サンプル（２４）の画像を処理するために、前記コンピュータ（３０）は、
前記基板サンプル上の単一の位置の画像を平均化するように、
前記サンプル上に存在する擬似構造に対して補償するように、
点ごとに、前記基板サンプルの少なくとも１つの画像の画素値を参照強度アレーにより除することにより、空間的および時間的な入力強度変化について補償するように、
前記画像のパワー・スペクトル密度を算出するように、かつ、
表面品質に関連する前記パワー・スペクトルの周波数帯域におけるパワーを決定するようにプログラムされる、システム（１０）。
【請求項７】
請求項１に記載のシステム（１０）であって、前記基板サンプル（２４）上の表面構造のレベルを決定するために前記基板サンプルの画像を処理するために、前記コンピュータ（３０）は、
前記基板サンプルの表面の曲率の推定値を算出するように、また、
前記基板サンプルの前記表面の前記曲率の前記推定値を使用して前記曲率に対して前記基板サンプルの画像を補正するようにプログラムされる、システム（１０）。
【請求項８】
請求項７に記載のシステム（１０）であって、前記基板サンプル（２４）の前記表面の前記曲率の前記推定値を算出するために、前記コンピュータ（３０）は、
【数１】
2005527820.tif 000001
に従って前記基板サンプルの前記表面の前記曲率の前記推定値を算出するようにプログラムされ、
ここで、
ｄは、球状表面の曲率の直径であり、
ｒは、前記基板サンプルの中央からの距離であり、
θは、オペレータの見る視界を基準としたｒと前記基板サンプルの前方との角度であり、
Ｇは、前記較正から得られるノマルスキー結晶定数であり、
βは、前記較正から得られるノマルスキー結晶背景位相であり、
（ｘ，ｙ）は、前記基板サンプルの剪断方向を基準とした前記基板サンプルについての空間座標であり、
（ｘ’，ｙ’）は、オペレータの見る視界を基準とした前記基板サンプルについての空間座標であり、
φは、前記剪断方向と前記ｘ’の角度であり、かつ、
∇ｘＲ（ｘ，ｙ）は、前記基板サンプルに対する複数の粗さの傾きを含む、システム（１０）。
【手続補正書】
【提出日】平成18年4月17日(2006.4.17)
【手続補正１】
【補正対象書類名】特許請求の範囲
【補正対象項目名】請求項５
【補正方法】変更
【補正の内容】
【請求項５】
少なくとも１つのワークステーションが脱ワックスまたは脱パラフィンステーションを含む請求項１又は２に記載のスライド自動処理装置。
【手続補正２】
【補正対象書類名】特許請求の範囲
【補正対象項目名】請求項１１
【補正方法】変更
【補正の内容】
【請求項１１】
ワークステーションがカバーグラス取付けステーションを含む請求項１又は２に記載のスライド自動処理装置。
【手続補正３】
【補正対象書類名】特許請求の範囲
【補正対象項目名】請求項１６
【補正方法】変更
【補正の内容】
【請求項１６】
互いに重ねられた複数のワークステーションを含み、各ワークステーションが一つの共通運搬／昇降機の近くに作動可能な状態で配置されている請求項１又は２に記載のスライド自動処理装置。
【手続補正４】
【補正対象書類名】特許請求の範囲
【補正対象項目名】請求項３１
【補正方法】変更
【補正の内容】
【請求項３１】
脱ワックスまたは脱パラフィン流体が約３〜約３０容量％のコラテルジュ（Collaterge、登録商標）からなる請求項２６又は２７に記載のスライド自動処理装置。
【手続補正５】
【補正対象書類名】特許請求の範囲
【補正対象項目名】請求項３２
【補正方法】変更
【補正の内容】
【請求項３２】
染色ステーションをさらに含む請求項２６又は２７に記載のスライド自動処理装置。
【手続補正６】
【補正対象書類名】特許請求の範囲
【補正対象項目名】請求項３９
【補正方法】変更
【補正の内容】
【請求項３９】
複数の互いに重なったワークステーションを含み、各ワークステーションが一つの共通の運搬／昇降機の近く作動状態で配置されている請求項２６又は２７に記載のスライド自動処理装置。
【手続補正７】
【補正対象書類名】特許請求の範囲
【補正対象項目名】請求項４２
【補正方法】変更
【補正の内容】
【請求項４２】
水平方向に互いに間隔をあけて配置された複数の標本スライドを保持するトレーをさらに含む請求項４０又は４１に記載の焼成または乾燥と脱ワックスまたは脱パラフィンとを組み合わせたステーション。
【手続補正８】
【補正対象書類名】特許請求の範囲
【補正対象項目名】請求項４３
【補正方法】変更
【補正の内容】
【請求項４３】
スライド上に脱ワックスまたは脱パラフィン流体を噴霧する複数の噴霧ノズルをさらに含む請求項４０又は４１に記載の焼成または乾燥と脱ワックスまたは脱パラフィンとを組み合わせたステーション。
【手続補正９】
【補正対象書類名】特許請求の範囲
【補正対象項目名】請求項５１
【補正方法】変更
【補正の内容】
【請求項５１】
染色試薬がヘマトキシリンとエオシンとからなる請求項４８から５０のいずれか一項に記載の方法。
【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
チップカードのメモリー（４）に格納され暗号化キーを用いて事前に暗号化されたデジタルデータを保護する方法であって、前記暗号化キーは、チップカードに本質的に備えられたオペレーティング・パラメータの少なくとも一つの関数として動的に定められていることを特徴とするデジタルデータの保護方法。
【請求項２】
チップカードのメモリー（４）に格納され暗号化キーを用いて事前に暗号化されたデジタルデータを保護するための装置であって、前記チップカードに本質的に備えられたオペレーティング・パラメータの少なくとも一つの関数として前記データを暗号化するキーを定義する計算モジュール（１０）が備えられたことを特徴とするデジタルデータの保護装置。
【請求項３】
データ処理のための中央処理ユニット、データを格納する少なくとも一つのメモリー、前記デジタルデータを暗号化するための暗号化モジュール（６）および前記データを暗号化するキーを少なくとも一つ計算するための計算モジュール（１０）を備え、前記計算モジュール（１０）は、前記メモリー（４）に本質的に備えられたオペレーティング・パラメータの少なくとも一つを関数として暗号化キーを定義する手段と、格納されたデータの各読み取りにおいて前記暗号化キーを動的に再計算する手段とを備えたことを特徴とするアクセスコントロールカード。
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
軸、
インナーレース、アウターレース及び多くの回転エレメントを備え、前記軸に取り付けられるベアリング、
前記インナーレース上にプレスフィットしている磁気弾性リング、
前記磁気弾性リング近傍に配置される励磁コイル、
前記磁気弾性リング近傍に配置される検知コイル、及び
リングの導電率及び透磁率の変化検知するための電気回路を備える、軸を通して負荷されるトルクを検知するためのデバイス。
【請求項２】
前記インナーレースがテーパレースであり、磁気弾性リングが前記テーパインナーレースの一方の端部付近の軸首上にプレスフィットされている、請求項１に記載のデバイス。
【請求項３】
前記励磁コイル及び検知コイルが、前記アウターレースに取り付けられているシングルユニットの中に納められている、請求項１に記載のデバイス。
【請求項４】
前記シングルユニットが、前記アウターレースの中に取り付けられているシールの中に取り付けられている、請求項３に記載のデバイス。
【請求項５】
第２の励磁コイル及び第２の検知コイルをさらに備え、
前記第２の励磁コイル及び第２の検知コイルが、前記アウターレースに取り付けられている第２のユニットの中に納められている請求項３に記載のデバイス。
【請求項６】
前記第２のユニットが、前記シングルユニットの反対側のアウターレースに取り付けられている、請求項５に記載のデバイス。
【請求項７】
第２の励磁コイル及び第２の検知コイルをさらに備え、
前記第２の励磁コイル及び前記第２の検知コイルが、前記シングルユニットの反対側のアウターレースに取り付けられ、前記シングルユニットに電気的に接続している、請求項３に記載のデバイス。
【請求項８】
前記電気回路が、
前記検知コイルの出力を受けるブリッジバランス回路、
前記ブリッジバランス回路の出力を増幅する増幅器、
前記増幅器の出力を復調する復調器、及び
前記復調器の出力をフィルタリングしてセンサ出力を発生させるフィルタを備える、請求項１に記載のデバイス。
【請求項９】
第２の励磁コイル及び第２の検知コイルをさらに備え、
前記第１の検知コイル及び前記第２の検知コイルがほぼ同等の大きさで、反対の位相の信号を生じる、請求項８に記載のデバイス。
【請求項１０】
前記第１の励磁コイル及び検知コイルが、前記軸の中心線によって定義される中心線から＋４５度回転されて、前記磁気弾性リングの圧縮線又は引張線に合わせられており、
前記第２の励磁コイル及び検知コイルが、前記軸の中心線によって定義される中心線から−４５度回転されて、前記第１の前記励磁コイル及び検知コイルによって合わせられた前記圧縮線又は引張線と反対の線に合わせられている、請求項９に記載のデバイス。
【請求項１１】
磁気弾性リングが、第１及び第２の磁気弾性リングに分割されており、前記第１の磁気弾性リングが、前記第１の磁気弾性リングに焦点を合わせられた前記第１の励磁コイル及び検知コイルを有し、
前記第２の磁気弾性リングが、前記第２の磁気弾性リングに焦点を合わせられた前記第２の励磁コイル及び検知コイルを有している、請求項１０に記載のデバイス。
【請求項１２】
前記第１の励磁コイル及び前記第２の励磁コイルが、前記リングの円周方向に沿って１８０度離れて間隔をあけられている、請求項１０に記載のデバイス。
【請求項１３】
前記第１及び第２の励磁コイル及び検知コイルが、１つの物理的容器の中に組み込まれている、請求項１０に記載のデバイス。
【請求項１４】
前記磁気弾性リングが、その外周にギザギザの溝を有する、請求項１０に記載のデバイス。
【請求項１５】
前記第１の励磁及び検知コイルに最も近い前記ギザギザの溝が、前記軸の前記中心線によって定義される中心線から＋４５度に配置され、
前記第２の励磁コイル及び検知コイルに最も近い前記ギザギザの溝が、前記軸の前記中心線によって定義される中心線から−４５度に配置され、
前記ギザギザの溝が、前記磁気弾性リングの前記圧縮線及び引張線と平行である、請求項１４に記載のデバイス。
【請求項１６】
第３の励磁コイル及び第４の励磁コイル、第３の検知コイル及び第４の検知コイルをさらに有し、
前記第３の検知コイル及び励磁コイルが、前記磁気弾性リングの圧縮線又は引張線の１つに合わせられ、
前記第４の検知コイル及び励磁コイルが、前記磁気弾性リングの圧縮線又は引張線の他方に合わせられている、請求項１０に記載のデバイス。
【請求項１７】
前記磁気弾性リングが環状に分極している、請求項１に記載のデバイス。
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
血液サンプルから、患者の生理学的状態および病理学的状態からなる群から選択される状態に対応する血液ガス成分のレベルを決定する方法であって、
組織血流および酸素付加のマーカーとして該患者の血液サンプル中のＮＯレベルを測定する工程を包含する、方法。
【請求項２】
心臓、肺または血液中の酸素欠乏にともなう疾患を、このような疾患を有する患者において処置するための嫌気性溶液であって、
治療有効量の酸化窒素を含み、１〜５００ｎｍｏｌ酸化窒素／分の範囲の速度で該患者に注入するのに適している、嫌気性溶液。
【請求項３】
心臓、肺または血液中の酸素欠乏にともなう疾患を、このような疾患を有する患者において処置するための嫌気性溶液であって、
治療有効量の酸化窒素および治療有効量の亜硝酸塩を含み、該亜硝酸塩が、該酸化窒素の酸素送達改善活性を促進する量で存在しており、該溶液が、１〜５００ｎｍｏｌ酸化窒素／分の範囲の速度で該患者に注入するのに適している、嫌気性溶液。
【請求項４】
心臓、肺または血液中の酸素欠乏にともなう疾患を、このような疾患、およびその患者に対する酸化窒素の血中生理学的レベルを有する患者において処置するための嫌気性溶液であって、
該酸化窒素の酸素送達活性を促進する、治療有効量の亜硝酸塩を含み、該溶液が、投与に適している、嫌気性溶液。
【請求項５】
全血または赤血球細胞の貯蔵時間を増加する方法であって、期限切れまたはＮＯ枯渇全血または赤血球細胞を、ＮＯおよび／または亜硝酸塩の溶液と混合する工程であって、該全血または赤血球細胞中の血管拡張性応答を充満または増加する工程を包含する、方法。
【請求項６】
輸液を必要とする患者に輸液するための溶液であって、
ＮＯおよび／または亜硝酸塩で処理されて血管拡張性応答が増したＮＯおよび酸素が枯渇した全血または赤血球細胞を含み、該溶液は、該患者中に輸液するに適している、溶液。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
アナログ光学サウンド・トラックを含むフィルムを再生する方法であって、
ａ）前記アナログ光学サウンド・トラックだけの画像を形成するステップと、
ｂ）前記画像を記憶するステップと、
ｃ）前記記憶された画像の一部を空間的画像として表すステップと、
ｄ）前記空間的画像を処理してメジアン値を形成するステップと、
ｅ）前記空間的画像の前記メジアン値を、前記サウンド・トラック中で表される音声信号を表す信号に変換するステップと、
を含む、アナログ光学サウンド・トラックを含むフィルムを再生する方法。
【請求項２】
前記ステップｃ）およびｄ）を繰り返して、前記アナログ光学サウンド・トラックの前記画像の全てについてメジアン値を形成するステップを含む、請求項１に記載のアナログ光学サウンド・トラックを含むフィルムを再生する方法。
【請求項３】
前記メジアン値を形成するステップが、前記アナログ光学サウンド・トラックだけの幅を走査するステップを含む、請求項２に記載のアナログ光学サウンド・トラックを含むフィルムを再生する方法。
【請求項４】
前記再生の継続時間の間、前記アナログ光学サウンド・トラックだけの幅を走査するステップを繰り返すステップを含む、請求項３に記載のアナログ光学サウンド・トラックを含むフィルムを再生する方法。
【請求項５】
前記メジアン値を形成するステップが、前記アナログ光学サウンド・トラックの前記画像をディジタル化するステップを含む、請求項４に記載のアナログ光学サウンド・トラックを含むフィルムを再生する方法。
【請求項６】
前記記憶された画像の一部を空間的画像として表すステップが、連続する走査から得られた前記記憶済み画像データをグループ化して、前記空間的画像を形成するステップを含む、請求項５に記載のアナログ光学サウンド・トラックを含むフィルムを再生する方法。
【請求項７】
前記空間的画像の前記メジアン値を、前記サウンド・トラック中で表される音声信号を表す信号に変換するステップが、前記アナログ光学サウンド・トラックの前記画像の全てについての前記メジアン値を、前記アナログ光学サウンド・トラックおよび音声変調を表す第１の値グループと、前記音声変調を除いた前記アナログ光学サウンド・トラックを表す第２の値グループとに分けるステップを含む、請求項２に記載のアナログ光学サウンド・トラックを含むフィルムを再生する方法。
【請求項８】
前記アナログ光学サウンド・トラックの前記画像の全てについての前記メジアン値を、前記アナログ光学サウンド・トラックおよび音声変調を表す第１の値グループと、前記音声変調を除いた前記アナログ光学サウンド・トラックを表す第２の値グループとに分けるステップが、前記第１の値グループからディジタル音声値を形成して、前記アナログ光学サウンド・トラック中に含まれる音声変調だけを表すステップを含む、請求項７に記載のアナログ光学サウンド・トラックを含むフィルムを再生する方法。
【請求項９】
前記空間的画像の前記メジアン値を、前記サウンド・トラック中で表される音声信号を表す信号に変換するステップが、前記アナログ光学サウンド・トラックの前記画像の全てについての前記メジアン値をソートして、音声変調を含む前記サウンド・トラックを表す値と、音声変調を含まない前記サウンド・トラックを表す値とのうちの一方を有する前記メジアン値に従って、２つだけのグループを形成するステップを含む、請求項２に記載のアナログ光学サウンド・トラックを含むフィルムを再生する方法。
【請求項１０】
前記記憶された画像の一部を空間的画像として表すステップが、特定の配向でメジアン値を形成するのに有利な特定の形状で、前記空間的画像を形成するステップを含む、請求項１に記載のアナログ光学サウンド・トラックを含むフィルムを再生する方法。
【手続補正２】
【補正対象書類名】明細書
【補正対象項目名】発明の名称
【補正方法】変更
【補正の内容】
【発明の名称】アナログ光学サウンド・トラックを含むフィルムを再生する方法
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
各車輪について、少なくとも、タイヤケーシング、タイヤ空気抜け警告装置及びタイヤケーシングの空気抜けの場合にタイヤケーシングのトレッドを支持する手段を有するフラット走行システム、特に車両ダッシュボードのための状態表示器であって、前記システムは、所与の使用潜在力を有し、システムは、評価手段を有し、評価手段が、上記車両の使用条件、前記システム及び／又は前記車両の物理的特性及び／又は前記車両の環境条件に関する測定値に基づいて時刻ｔにおける前記システムの状態を特徴付けるパラメータを計算するようになっており、前記状態表示器は、前記時刻ｔにおける少なくとも、
・前記所与の時刻ｔにおける前記システムの使用潜在力、
・前記所与の時刻ｔにおける前記システムの使用レンジ、
・前記所与の時刻ｔにおける前記システムの使用パラメータの重大度に関する量Ｃ
を同時に表示することを特徴とする状態表示器。
【請求項２】
前記状態表示器は、さらに、前記所与の時刻ｔにおける前記システムの使用レンジの最大値及び最小値を同時に表示することを特徴とする請求項１記載の表示器。
【請求項３】
前記潜在力は、図式表示されることを特徴とする請求項１又は請求項２に記載の表示器。
【請求項４】
前記量Ｃは、図式表示されることを特徴とする請求項１乃至３のいずれか１項に記載の表示器。
【請求項５】
前記潜在力は、表面積が前記潜在力の値を表す所与の色付きの領域Ａで表されることを特徴とする請求項３記載の表示器。
【請求項６】
前記領域Ａは、それぞれの表面積が前記量Ｃの値の関数である２つの領域Ａ１，Ａ２に分離されていることを特徴とする請求項５記載の表示器。
【請求項７】
前記車両の現在の使用条件の重大度に関する量Ｃは更に数値表示されることを特徴とする請求項４記載の表示器。
【請求項８】
前記システムの現在の使用条件の重大度を表す量Ｃは、タイヤケーシングの内部空気の温度であることを特徴とする請求項１乃至７のいずれか１項に記載の表示器。
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
追加材料の塗布パターンを有するウェブの製造方法であって、該方法は、
第１の経路に沿ってベースウェブを移動させる工程と、
追加材料のスラリーを生成する工程と、
第１の経路を横切る追加材料スラリーのリザーバを確立することにより、追加材料スラリーをベースウェブの移動シート上に繰り返し排出する工程と、エンドレス経路に沿って少なくとも１つのスロットオリフィスを有するベルトを移動させる工程と、を含み、前記ベルトを移動させる工程は、前記エンドレス経路の第１の部分に沿って前記ベルトを移動させる工程を含み、前記エンドレス経路の第１の部分では、前記少なくとも１つのスロットオリフィスは前記リザーバと連通し、前記少なくとも１つのスロットオリフィスが前記第１の経路部分を横断する間、前記追加材料スラリーを前記リザーバから前記少なくとも１つのスロットオリフィスを通って前記ベースウェブ上に排出する、ウェブの製造方法。
【請求項２】
スロットオリフィスは、弓形末端部により結合された平行な側面の縁を含み、追加材料スラリーは非円形ストリームとしてスロットオリフィスから排出される、請求項１に記載の方法。
【請求項３】
少なくとも１つのスロットオリフィスは、複数の離間したスロットオリフィスを含み、追加材料スラリーはベースウェブの移動シートを横切って同時に進む複数のストリームとして堆積される、請求項１に記載の方法。
【請求項４】
スロットオリフィスはテーパが付けられ、スラリーはスロットオリフィスのより広い部分からスロットオリフィスに入り、より狭い部分からスロットオリフィスを出る、請求項１に記載の方法。
【請求項５】
追加スラリーは、ベースウェブの移動シート上に追加スラリーの帯として堆積され、帯はベースウェブの移動シートの進行方向に対して直角に延びる、請求項１に記載の方法。
【請求項６】
少なくとも１つのスロットオリフィスは、ベルトに沿って位置付けられ、かつ主軸がベルトの進行の方向に対して１５〜７５°の角度を成す状態に方向付けられた、均一に離間したスロットオリフィスを含む、請求項１に記載の方法。
【請求項７】
少なくとも１つのスロットオリフィスは、離間したスロットオリフィスを含み、各々のスロットオリフィスはその幅より少なくとも１．５倍長い長さと、丸みのある端壁を有する、請求項１に記載の方法。
【請求項８】
少なくとも１つのスロットオリフィスは、同じ寸法を有する離間したスロットオリフィスを含み、寸法はスロットオリフィスを通る追加材料スラリーの所望の流速を提供し、所定の幅の帯をベースウェブ上に提供する、請求項１に記載の方法。
【請求項９】
チャンバボックスと、スラリーをチャンバボックスに供給するための配置と、チャンバボックスの下部を通過するように配置されたエンドレスベルトと、を含み、エンドレスベルトは少なくとも１つのスロットオリフィスを有し、オリフィスはチャンバボックス内に面したベルト側に任意の勾配が付けられた、スラリーアプリケータ。
【請求項１０】
チャンバボックスは底部の内部に沿って傾斜要素を含み、傾斜要素はエンドレスベルトの中央部分に向かってスラリーを導くように配置される、請求項９に記載のスラリーアプリケータ。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
天然または合成のポリアミド繊維材料上の染料の、オゾンおよびＮＯxの作用に対する抵抗性を改善する方法であって、前記繊維材料を、染色前、染色中または染色後に、式（Ｉ）、（II）および（III）
【化１】
2005511909.tif 000001
［式中、Ｒは、式（IV）
【化２】
2005511909.tif 000002
（式中、Ａ1およびＡ2は、互いに独立して、直接結合、Ｃ1〜Ｃ8アルキレンまたは−ＣＯ−ＮＨ−Ｃ1〜Ｃ8アルキレンであり、Ｅはビニルまたは−ＯＳＯ3Ｈであり、ｎは、０または１を示す）の基である］の構造反復単位を含有するターポリマーを含む溶液で処理することを含む方法。
【請求項２】
Ｒが、式（IVａ）〜（IVｆ）
【化３】
2005511909.tif 000003
の基である式（II）の構造反復単位を含有するターポリマーを使用する、請求項１に記載の方法。
【請求項３】
Ｒが、式（IVｇ）〜（IVｉ）
【化４】
2005511909.tif 000004
の基である式（II）の構造反復単位を含有するターポリマーを使用する、請求項１に記載の方法。
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
少なくとも５ｗｔ％の溶媒と、熱重合性の基剤系とを含んで成る溶液から構成されるサイジング組成物で被覆されたガラスストランドであって、該基剤系が、分子量７５０未満の成分を少なくとも６０ｗｔ％含んで成り、かつ
・少なくとも１つのエポキシ反応性官能基を示す１つ又は複数の成分と、
・少なくとも１つのアミン反応性官能基を示す１つ又は複数の成分と、
・少なくとも１つのヒドロキシル反応性官能基を示す１つ又は複数の成分と
の混合物成分を少なくとも６０ｗｔ％含んで成る、ガラスストランド。
【請求項２】
前記重合性基剤系が、前記組成物の７５〜１００ｗｔ％に相当することを特徴とする、請求項１に記載のガラスストランド。
【請求項３】
前記基剤系が、１つ又は複数のエポキシ成分、１つ又は複数のアミン成分、及び１つ又は複数のヒドロキシル成分から８０ｗｔ％〜１００ｗｔ％まで構成されたことを特徴とする、請求項１及び請求項２の何れか１項に記載のガラスストランド。
【請求項４】
前記基剤系が、分子量７５０未満の１つ又は複数の成分を少なくとも７０ｗｔ％含んで成ることを特徴とする、請求項１〜３の何れか１項に記載のガラスストランド。
【請求項５】
［エポキシ反応部位の数］／［アミン反応部位の数とヒドロキシル部位の数の合計］の比ｒが、０．２〜２．５であることを特徴とする、請求項１〜４の何れか１項に記載のガラスストランド。
【請求項６】
［アミン反応部位の数］／［ヒドロキシル反応部位の数］の比ｒ’が、０．５〜２０であることを特徴とする、請求項１〜５の何れか１項に記載のガラスストランド。
【請求項７】
前記１つ又は複数のエポキシ成分の含有量が、前記サイジング組成物の１５〜８５ｗｔ％であることを特徴とする、請求項１〜６の何れか１項に記載のガラスストランド。
【請求項８】
前記１つ又は複数のアミン成分の含有量が、前記サイジング組成物の５ｗｔ％以上であることを特徴とする、請求項１〜７の何れか１項に記載のガラスストランド。
【請求項９】
前記１つ又は複数のヒドロキシル成分の含有量が、前記サイジング組成物の５ｗｔ％以上であることを特徴とする、請求項１〜８の何れか１項に記載のガラスストランド。
【請求項１０】
前記組成物が、８ｗｔ％未満の割合で触媒をさらに含んで成ることを特徴とする、請求項１〜９の何れか１項に記載のガラスストランド。
【請求項１１】
前記組成物が、０〜３０ｗｔ％の割合でカップリング剤をさらに含んで成ることを特徴とする、請求項１〜１０の何れか１項に記載のガラスストランド。
【請求項１２】
前記組成物が、０〜３０ｗｔ％の割合で繊維加工剤をさらに含んで成ることを特徴とする、請求項１〜１１の何れか１項に記載のガラスストランド。
【請求項１３】
前記組成物が、８ｗｔ％以下の割合で塗膜形成剤をさらに含んで成ることを特徴とする、請求項１〜１２の何れか１項に記載のガラスストランド。
【請求項１４】
前記組成物が、少なくとも１つの腐食抑制剤を含んで成ることを特徴とする、請求項１〜１３の何れか１項に記載のガラスストランド。
【請求項１５】
前記基剤系が、１つ又は複数のエポキシ成分、２つのアミン反応性官能基を含む１つ又は複数のアミン成分、及び少なくとも１つのヒドロキシル反応性官能基を含む１つ又は複数の成分から構成されたことを特徴とする、請求項１〜１４の何れか１項に記載のガラスストランド。
【請求項１６】
前記アミン反応性官能基が、第一及び／又は第二アミン反応性官能基であることを特徴とする、請求項１４に記載のガラスストランド。
【請求項１７】
少なくとも５ｗｔ％の溶媒と、熱重合性の基剤系とを含んで成る溶液から構成された、ガラスストランド用のサイジング組成物であって、該基剤系が、分子量７５０未満の成分を少なくとも６０ｗｔ％含んで成り、かつ
・少なくとも１つのエポキシ反応性官能基を示す１つ又は複数の成分と、
・少なくとも１つのアミン反応性官能基を示す１つ又は複数の成分と、
・少なくとも１つのヒドロキシル反応性官能基を示す１つ又は複数の成分と
の混合物成分を少なくとも６０ｗｔ％含んで成る、サイジング組成物。
【請求項１８】
前記ガラスストランドのすべて又は一部が、請求項１〜１６の何れか１項に記載のサイズ剤を施したガラスストランドから構成されたことを特徴とする、少なくとも１つの有機及び／又は無機材料、並びにサイズ剤を施したガラスストランドを含んで成る、複合体。
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
略等間隔で連続する、平行して交互に並ぶ頂部と谷部、及び各頂部と各谷部の間に延びる略垂直に整列した複数のひだを有する、実質的に長い矩形の断面をなす構成を有した波形ファイバフィルであって、前記構造が約５〜約１８ｋｇ／ｍ3の嵩密度、約１０ｍｍ〜約５０ｍｍの高さを有し、頂部が１インチあたり約４〜約１５回の頻度（１ｃｍあたり１．５８〜５．９１回）で出現することを特徴とする波形ファイバフィル。
【請求項２】
請求項１に記載の波形構造を有するポリエステルファイバフィルを含むことを特徴とする枕。
【請求項３】
波形ファイバフィル構造を形成するための方法であって：
ファイバフィル及びバインダー繊維を切開するピッカーまでファイバフィル材料及びバインダー繊維を含むベールから繊維原料の塊を供給する工程と；
切開したファイバフィル及びバインダー繊維をブレンダーに供給して、均質混合物を形成する工程と；
ブレンドをカーディングして、繊維質ウェブを形成する工程と；
繊維質ウェブを垂直に折畳んで、略等間隔で連続する、交互に並んだ頂部と谷部、及び各頂部と谷部の間に延びる垂直に整列した複数のひだを有する、実質的に長い矩形の断面をなす構成を有する密に詰込まれた波形ファイバフィル構造を形成する工程と；
波形ファイバフィル構造を加熱して、構造を圧密化しその波形を維持するようにバインダー繊維及びファイバフィル材料を接着させる工程であって、該構造が、約５〜約１８ｋｇ／ｍ3の嵩密度、約１０ｍｍ〜約５０ｍｍの高さを有し、頂部は１インチあたり約４〜約１５回の頻度（１ｃｍあたり１．５８〜５．９１回）で出現する工程と
を含むことを特徴とする方法。
【手続補正２】
【補正対象書類名】明細書
【補正対象項目名】００１０
【補正方法】変更
【補正の内容】
【００１０】
従って、本発明に従うと、略等間隔で連続する、平行して交互に並ぶ頂部と谷部、及び各頂部と各谷部の間に延びる垂直に整列した複数のひだを有する、実質的に長い矩形の断面をなす構成を有した波形ファイバフィル構造であって、約５〜約１８ｋｇ／ｍ3の嵩密度、約１０ｍｍ〜約５０ｍｍの高さ、および１インチあたり約４〜約１５回（１ｃｍあたり１．５８〜５．９１回）で出現する頂部頻度を有する波形ファイバフィル構造が提供されている。この波形構造のファイバフィルは、約０．５〜約３０デニール／フィラメント（０．５５〜３３デシテックス／フィラメント）、１インチあたり約４〜約１５個（１ｃｍあたり１．５８〜５．９１個）の捲縮及び約２９％〜約４０％の捲縮巻取り率を有する繊維を含む。同様に、この嵩密度、高さ及び頂部頻度を有し、このフィラメントあたりデニール数、インチあたり捲縮数及び捲縮巻取り率を有する繊維から製造された波形構造を有する枕も提供されている。この枕は、０．２５３〜０．５８４ポンド／ｉｎ2×ｉｎ／ｉｎ（１７．７９〜４１．０６ｇｍ／ｃｍ2×ｃｍ／ｃｍ）の範囲内の圧縮エネルギー、０．４８０〜０．６７８の範囲内の線形性及び０．４４８〜０．６３９の範囲内の弾力性を有する。好ましくは、０．２５３〜０．３０３ポンド／ｉｎ2×ｉｎ／ｉｎ（１７．７９〜２１．３０ｇ／ｃｍ2×ｃｍ／ｃｍ）の範囲内の圧縮エネルギー、０．６２６〜０．６７８の範囲内の線形性及び０．４４８〜０．５５３の範囲内の弾力性を有する。
【手続補正３】
【補正対象書類名】明細書
【補正対象項目名】００１１
【補正方法】変更
【補正の内容】
【００１１】
さらに本発明に従うと、波形ファイバフィル構造を形成するための方法であって、ファイバフィル材料及びバインダー繊維を切開するピッカーまでファイバフィル材料及びバインダー繊維を含むベールから繊維原料の塊を供給する工程と；切開したファイバフィル材料及びバインダー繊維をブレンダーに供給して、均質混合物を得る工程と；ブレンドをカーディングして、繊維質ウェブを形成する工程と；繊維質ウェブを垂直に折畳んで、略等間隔で連続する、交互に並んだ頂部と谷部、及び各頂部と谷部の間に延びる垂直に心合わせされた複数のひだを有する、実質的に長い矩形の断面をなす構成を有する密に詰込まれた波形ファイバフィル構造を形成する工程と、波形ファイバフィル構造を加熱して、構造を圧密化しその波形を維持するようにバインダー繊維及びファイバフィル材料を接着させる工程であって、該構造が、約５〜約１８ｋｇ／ｍ3の嵩密度、約１０ｍｍ〜約５０ｍｍの高さを有し、頂部が１インチあたり約４〜約１５回の頻度（１ｃｍあたり１．５８〜５．９１回）で出現する工程とを含むことを特徴とする方法が提供されている。好ましくは、繊維質ウェブを垂直に折畳む前記工程が、繊維質ウェブの長さ方法に対し垂直に少なくとも１つの往復運動要素を往復運動させる工程と、繊維質ウェブの長さ方向に対し平行に少なくとも１つの往復運動要素を往復運動させる工程とを含む。また、好ましくは、波形ファイバフィル構造をロール巻きさせる工程と、前記ロール巻かれた波形ファイバフィル構造をカバー布の中に詰め枕を形成する工程とをさらに含む。
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
層状繊維質ウェブを形成する方法で、ヘッド・ボックス（１０）を通して少なくとも２つの異なる繊維懸濁物を案内することと、ブレード手段（１８、１８０）によって繊維懸濁物を相互から分離することと、繊維懸濁物をウェブ形成装置（２４）に供給することと、ブレード手段（１８、１８０）の端部にある出口で横方向に均一な流れを有する水の層を形成することとを含み、したがって水の層がブレード手段の延長部を構成して、それにより繊維懸濁物の混合を防止する方法であって、ブレード手段（１８、１８０）によって分離される繊維懸濁物層間で圧力を等化し、それによってブレード手段（１８、１８０）の縁の下流で後流効果を減少させることができるため、ほぼ垂直方向に自由に移動可能であるようブレード手段（１８、１８０）を配置することを特徴とする方法。
【請求項２】
内部流路（３０）内でブレード手段（１８、１８０）を通して水を給送することを特徴とする、請求項１に記載の方法。
【請求項３】
ブレード手段から出る水の均一な流量を提供するため、ブレード手段（１８、１８０）の端部にある水出口からある距離で終了するよう、流路（３０）を配置することを特徴とする、請求項２に記載の方法。
【請求項４】
ブレード手段（１８、１８０）からの水出口の高さを、それによって水層の高さを一定に維持し、水の給送圧力を変化させることによって水の流量を調節することを特徴とする、請求項１から３いずれか１項に記載の方法。
【請求項５】
ブレード手段（１８、１８０）の上流端で意図された水流の方向に対して直角に配置された給水パイプ（３２）によって、ブレード手段（１８、１８０）に水を供給することを特徴とする、請求項１から４いずれか１項に記載の方法。
【請求項６】
意図された水流の方向に対して横方向で、ブレード手段（１８、１８０）の内側に圧力低下スクリーン（３８）を配置することを特徴とする、請求項１から５いずれか１項に記載の方法。
【請求項７】
弾力的に変形可能で、それにより繊維懸濁物層間の圧力等化を可能にするような方法で、ブレード手段（１８、１８０）を動作自在に配置することを特徴とする、請求項１から６いずれか１項に記載の方法。
【請求項８】
その上流端に旋回自在に支持され、流方向に対して直角の旋回軸（２０）の周囲で自由に旋回でき、それによって繊維懸濁物層間の圧力等化を可能にするような方法で、ブレード手段（１８、１８０）を動作自在に配置することを特徴とする、請求項１から７いずれか１項に記載の方法。
【請求項９】
給水パイプ（３２）がブレード手段（１８、１８０）の旋回軸（２０）と一致するよう、回転方向に固定した状態で給水パイプ（３２）をブレード手段（１８、１８０）に接続することを特徴とする、請求項８に記載の方法。
【請求項１０】
請求項１から９までのいずれか１項に記載の方法により形成された繊維状ウェブ。
【請求項１１】
水出口を設けた少なくとも１つの繊維懸濁物分離ブレード手段（１８、１８０）を備えるヘッド・ボックス（１０）を含み、出口が、ブレード手段（１８、１８０）の延長部を構成して、横方向に均一な流量を有する水の層を形成するよう配置された抄紙機であって、ブレード手段（１８、１８０）が、ブレード手段（１８、１８０）によって分離した繊維懸濁物層間の圧力を等化させ、それによってブレード手段（１８、１８０）の縁の下流で後流効果を軽減するため、ほぼ垂直方向にて自由に動作可能であるよう配置されることを特徴とする抄紙機。
【請求項１２】
ブレード手段に内部流路（３０）を設け、この中で水がブレード手段（１８、１８０）を通って給送されることを特徴とする、請求項１１に記載の抄紙機。
【請求項１３】
流路（３０）が、ブレード手段（１８、１８０）から出る水の均一な流量を提供するため、ブレード手段（１８、１８０）の端部で水出口からある距離にて終了することを特徴とする、請求項１２に記載の抄紙機。
【請求項１４】
少なくとも１つの圧力低下スクリーン（３８）が、意図された水流の方向に対して横方向でブレード手段（１８、１８０）の内側に配置されることを特徴とする、請求項１１から１３いずれか１項に記載の抄紙機。
【請求項１５】
圧力低下スクリーン（３８）が多孔性材料を備えることを特徴とする、請求項１４に記載の抄紙機。
【請求項１６】
ブレード手段（１８、１８０）からの水出口の高さが、およびそれによって水層の高さが一定であり、水の流量が、水の給送圧力を変化させることによって調節されることを特徴とする、請求項１１から１５いずれか１項に記載の抄紙機。
【請求項１７】
ブレード手段（１８、１８０）に水を供給する給水パイプ（３２）が、意図された水流の方向に対して直角にてブレード手段の上流端に配置されることを特徴とする、請求項１１から１６いずれか１項に記載の抄紙機。
【請求項１８】
ブレード手段（１８、１８０）が弾力的に変形可能であり、それによって繊維懸濁物層間の圧力の等化を可能にすることを特徴とする、請求項１１から１７いずれか１項に記載の抄紙機。
【請求項１９】
ブレード手段（１８、１８０）が、ブレード手段（１８、１８０）の上流端に旋回自在に支持され、意図された水流の方向に対して直角の旋回軸（２０）の周囲で自由に旋回することができ、それによって繊維懸濁物層間の圧力等化を可能にすることを特徴とする、請求項１１から１８いずれか１項に記載の抄紙機。
【請求項２０】
給水パイプ（３２）が、回転方向に固定された状態でブレード手段（１８、１８０）に接続され、給水パイプ（３２）がブレード手段（１８、１８０）の旋回軸（２０）と一致することを特徴とする、請求項１９に記載の抄紙機。
【請求項２１】
ブレード手段（１８、１８０）が１対の相互に隔置された平行のシート（２６、２８）を備えることを特徴とする、請求項１１から２０いずれか１項に記載の抄紙機。
【請求項２２】
ブレード手段（１８０）が１対のシート（２６０、２８０）を備え、これが意図された水流の方向にて相互に向かって収束し、それによってブレード手段（１８０）の出口が入口より狭くなることを特徴とする、請求項１１から２０いずれか１項に記載の抄紙機。
【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
トルク継手であって、
前記継手に掛けられたトルクが通る入力トルク部と、
前記継手から伝達されるトルクが通る出力トルク部と、
異なる角速度で回転可能な第一及び第二のクラッチ部と電気コイルとを備えた磁性粒子クラッチと、
遊星ギアセットとを有し、
前記クラッチは、前記クラッチ部が異なる角速度で回転するとき、前記クラッチ部間でトルクを伝達でき、
前記クラッチを通って伝達されるトルク量は前記コイルを流れる電流によって決まり、
前記第一のクラッチ部は前記トルク部の一方に接続され、
前記遊星ギアセットは、
同じ軸周りに配置され、
前記入力部と前記出力部の間でトルクが２つの経路で伝達されるように、クラッチに連結され、
前記２つの経路の一方は前記クラッチを含むクラッチ経路であり、他方は前記クラッチを含まない機械的経路であり、
前記遊星ギアは、前記軸周りに配置された第一、第二、第三、及び第四の要素を有し、
前記第一の要素は、前記第一のクラッチ部及び前記入出力トルク部の一方に接続され、
前記第二の要素は、前記クラッチを通って伝達されるトルクのすべてが前記第二の要素を通るように前記第二のクラッチ部に接続され、
前記第三の要素は、前記入出力トルク部の他方に接続され、
前記第四の要素は、前記第一の要素と前記第二の要素の間及び前記第二の要素と前記第三の要素の間に接続され、
前記遊星ギアセットの前記要素は、前記入力トルク部と前記出力トルク部の間で伝達されるトルクのほとんどが前記機械的経路を通るように構成される、ことを特徴とするトルク継手。
【請求項２】
請求項１記載のトルク継手であって、
前記クラッチ部は、前記遊星セットが周りに配置された軸周りに回転し、
前記第二の遊星要素は、太陽ギアであり、
前記第一の遊星要素は、前記太陽ギアを囲むリングギアであり、
前記第四の遊星要素は、前記太陽ギアと前記リングギアの間に配置され、該太陽ギア及び該リングギアと係合する遊星ギアであり、
前記第三の遊星要素は、前記軸周りに回転するキャリアであり、
前記キャリアは、前記遊星ギアが周りを回転する軸を提供する、ことを特徴とするトルク継手。
【請求項３】
請求項１記載のトルク継手であって、
前記クラッチの前記電気コイルに流れる電流を変えて、前記クラッチ及び前記継手を通って伝達されるトルク量を制御する手段を更に有する、ことを特徴とするトルク継手。
【請求項４】
請求項１記載のトルク継手であって、
前記第一の要素は、前記軸周りに回転する太陽素子であり、
前記第三の要素は、前記軸周りに回転する太陽素子であり、
前記第四の要素は、前記２つの太陽素子と係合した遊星素子であり、
前記第二の要素は、キャリア素子であり、
前記第四の要素は、前記キャリア素子周りに回転する、ことを特徴とするトルク継手。
【請求項５】
請求項１記載のトルク継手と共に用いられ、
動力装置と、
前記動力装置に直接接続された第一の車輪と、
前記トルク継手を通じて前記動力装置に間接的に接続された第二の車輪とを有する、ことを特徴とする車両。
【請求項６】
請求項１記載のトルク継手と共に用いられ、
動力装置と、
車両を横断するアクスルに略沿って揃えられた複数の車輪とを有し、
別々の前記トルク継手が、前記揃えられた車輪の各々へ、その車輪用の該トルク継手を通ってトルクが伝達されるように、前記揃えられた車輪の各々と前記動力装置との間をそれぞれ接続する、ことを特徴とする車両。
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
第１管要素（１０１）の端部に位置する雄ねじ部（１）と、第２管要素（１０２，２０２）の端部に位置する雌ねじ部（２）とを含んでなる高品質のねじ付き管継手（１００，３００，４００）であって、前記雄ねじ部は雄ねじ（３）と、外周面上の少なくとも１つの雄シール面（５，１５）と、少なくとも１つの軸方向の雄当接面（７，１７）を含み、それに対応して前記雌ねじ部（２）は雌ねじ（４）と、外周面上の少なくとも１つの雌シール面（６，１６）と、少なくとも１つの軸方向の雌当接面（８，１８）を含み、前記雄ねじは、前記少なくとも１つの軸方向の雄当接面（７，１７）が対応する軸方向の雌当接面（８，１８）と協働して組立トルクに対して当接反作用を生じさせるまで雌ねじ内にねじ込まれ、各雄シール面（５，１５）は次に対応する雌シール面（６，１６）と半径方向に干渉し、前記少なくとも１つのねじ部は当接反作用を生じる当接面間に「軸方向の遠位当接面」（７，１８）と呼ばれるねじ部の自由端の正面に形成された面を有し、リップ（１１，１２）は前記ねじ（３，４）から対象のねじ部の前記軸方向の遠位当接面まで軸方向に延伸し、「リップシール面」（５，１６）と呼ばれる１つのシール面が前記ねじの端部から所定の軸方向距離の位置において前記リップ（１１，１２）上に配設された高品質のねじ付き管継手において、前記リップは、前記軸方向の遠位当接面（７，１７）と前記リップシール面（５，１６）の間に「アペンディクス」（１３，１４）と呼ばれる部分を有し、該アペンディクスは、アペンディクスを持たない同様なねじ付き管継手と比べて、前記リップの半径方向の剛性を大きくし、かつ軸方向の剛性を小さするように２つの周面を有することを特徴とする高品質のねじ付き管継手。
【請求項２】
前記アペンディクスの端部に位置する前記軸方向の遠位当接面は、組立の間に、螺合相手のねじ部の前記軸方向の遠位当接面に最初に接するように前記リップ上に配設されている請求項１の高品質のねじ付き管継手。
【請求項３】
前記リップシール面側（１９）に位置する前記アペンディクスの周面は、前記螺合相手のねじ部と干渉接触がない請求項１又は２の高品質のねじ付き管継手。
【請求項４】
前記リップシール面側（１９）に位置する前記アペンディクスの周面はほぼ円柱面である請求項１、２又は３の高品質のねじ付き管継手。
【請求項５】
前記アペンディクスの端部に位置する前記軸方向の遠位当接面は、前記アペンディクスの前記２つの周面の一方の周面から他方の周面まで延伸する面である請求項１ないし４のいずれか１つに記載の高品質のねじ付き管継手。
【請求項６】
前記軸方向の遠位当接面は単一面である請求項１ないし５のいずれか１つに記載の高品質のじ付き管継手。
【請求項７】
前記アペンディクスの端部に位置する前記軸方向の遠位当接面は、ねじ付き管継手の軸に垂直な平面である請求項１ないし６のいずれか１つに記載の高品質のねじ付き管継手。
【請求項８】
前記アペンディクスの端部に位置する前記軸方向の遠位当接面は、ねじ付き管継手と同軸でありかつ前記リップシール面とそれに対応するシール面の接触を高めるための７０°ないし９０°の範囲の半頂角を備える円錐であることを特徴とする請求項１ないし７のいずれか１つに記載の高品質のねじ付き管継手。
【請求項９】
前記アペンディクスは、前記リップの軸方向の合計長さ（ｌｔ）の８％ないし７５％、好ましくは、２０％ないし６０％の軸方向の長さ（ｌａ）を有する請求項１ないし８のいずれか１つに記載の高品質のねじ付き管継手。
【請求項１０】
前記アペンディクスは軸方向の長さ（ｌａ）を有し、前記軸方向の遠位当接面は半径方向の厚み（ｅｂ）を有し、該半径方向の厚み（ｅｂ）に対する前記アペンディクスの前記軸方向の長さ（ｌａ）の比は３以下である請求項１ないし９のいずれか１つに記載の高品質のねじ付き管継手。
【請求項１１】
前記アペンディクスの前記軸方向の長さ（ｌａ）は、前記ねじ部（１）上に位置する前記リップシール面（５）が、前記ねじ（３）の第１ねじ山の峰を通りかつ前記ねじ部（１）の自由端に正接する直線（Ｄ１）に関して前記ねじ部（１）と同じ側に位置するように、設けられており、これにより、前記両ねじ部の操作の間に前記リップシール面（５）を損傷から保護することを可能にする請求項１ないし１０のいずれか１つに記載の高品質のねじ付き管継手。
【請求項１２】
前記各リップシール面（５，１６）は、円錐面と、円環面と、円錐面、円柱面及び円環面の組合せを含んでなる複合面から選択された面である請求項１ないし１１のいずれか１つに記載の高品質のねじ付き管継手。
【請求項１３】
請求項１２の高品質のねじ付き管継手であって、１つ又は少なくとも１つのリップシール面（５）は、互いに正接する２つの面部分、即ち、前記軸方向の遠位当接面（７）側に位置する円錐面部分（３３）と、２０ｍｍを超える直径（Ｄ１）を有しかつ前記ねじ部側（３）に位置する円環面部分とを有することを特徴とし、かつ、前記他方のねじ部上の対応するシール面（６）は、前記リップシール面の円錐面部分（３３）のテーパーとほぼ同じテーパーを備えかつ前記リップシール面の軸方向の合計幅（ｌｓ）に対応する軸方向の幅を備えることを特徴とする高品質のねじ付き管継手。
【請求項１４】
前記各リップシール面（５，１６）はねじ付き管継手の軸に関して少なくとも１０°の平均傾斜を有する請求項１２又は１１３の高品質のねじ付き管継手。
【請求項１５】
前記各リップシール面は１０ｍｍ未満、好ましくは、５ｍｍ以下の軸方向の幅（ｌｓ）を有する請求項１２，１３又は１４の高品質のねじ付き管継手。
【請求項１６】
前記リップシール面（５）と前記ねじ部（３）の間に位置する前記リップの周面（３５）は、直径がわずかに異なる２つのほぼ円柱面を含み、小さな直径（３９）を有する前記ほぼ円柱面はねじ山の谷に繋がり、大きい直径（３７）を有する前記ほぼ円注面は前記リップシール面（５）に繋がっている請求項１ないし１５のいずれか１つに記載の高品質のねじ付き管継手。
【請求項１７】
１つのねじ部（１）が、リップシール面（５）と、アペンディクス（１３）と、軸方向の遠位当接面（７）とを備えるリップ（１１）を有し、他方のねじ部（２）はこれらの全ての手段を呈していないことを特徴とする請求項１ないし１６のいずれか１つに記載の高品質のねじ付き管継手（１００）。
【請求項１８】
前記他方のねじ部（２）は軸方向の遠位当接面もリップシール面も有していない請求項１７の高品質のねじ付き管継手（１００）。
【請求項１９】
前記ねじ付き管継手の前記他方のねじ部（２）は軸方向の遠位当接面（１８）を有するがリップシール面を有していない請求項１７の高品質のねじ付き管継手（１００）。
【請求項２０】
前記ねじ付き管継手の前記前記両ねじ部（１，２）はそれぞれ、リップシール面（５，１６）と、アペンディクス（１３，１４）と、軸方向の遠位当接面（７，１８）とを備えるリップ（１１，１２）を有する請求項１ないし１５のいずれか１つに記載の高品質のねじ付き管継手（４００）。